(57)【要約】【課題】  鋼矢板を地盤中に打設する際に、継手部の嵌入溝に地盤構成物が侵入する事を効果的に防止し、かつ地下壁体や遮水壁の構築コストの増加及び構築作業の煩雑化を制御する。【解決手段】  先行して打設される鋼矢板、継手部の嵌入溝Ｓ、Ｘを止水材で満たし閉塞状態とする事により、止水性能を阻害する土砂や小石等の地盤構成物が継手部の嵌入溝へ侵入する事を防ぐ。  次の後続鋼矢板打設行程で、継手、鈎状部先端の爪Ｅ、Ｆ、Ｇ等で、前記の止水材を徐々に切取り剥離させ又は砕きながら矢板打設方向への移動に従って、継手部が嵌合し完成する。  この結果、異物の混入していない止水材（水膨張性止水材等）で継手嵌合部の隙間を埋めることになる、形が変わっても嵌合部に必ずできる空間を満たした止水材で、矢板継手部の十分な止水が得られる。【選択図】図７
2019056233.tif 000002
【特許請求の範囲】
【請求項１】
一の鋼矢板の継手と他の鋼矢板の継手を嵌め合わせた矢板継手部の止水構造であって、
前記鋼矢板は矢板本体の両側に一対の継手を有し、前記継手同士を連結して構築する遮水壁の場合は構築されている壁の進行方向に対して前方を前方継手、後方を後方継手とし、
前記継手はそれぞれ前記矢板本体に向けて屈曲した鈎状の継手部を有しており、
前記鈎状の継手部の嵌入溝に地盤構成物等の侵入を防止しするために、前記嵌入溝の長手方向に延在するように止水材で満たし閉塞状態としたことを特徴とする矢板継手部の止水構造。
【請求項２】
前記嵌入溝の長手方向に延在するように挿入または充填された止水材が、後続鋼矢板の後方継手の継手部先端を爪状に加工又は爪状の物を取付けた爪部で矢板打設方向への移動に従って、嵌合しつつ、爪部の断面形状によって徐々に切取り剥離させ又は砕かれることを特徴とする請求項１に記載の矢板継手部の止水構造。
【請求項３】
請求項２の後続鋼矢板に前方継手、鈎状の継手部の嵌入溝の長手方向に延在するように止水材を充填する事を特徴とする請求項２に記載の矢板継手部の止水構造。
【請求項４】
一の鋼矢板の継手と他の鋼矢板の継手を嵌め合わせた鋼矢板の打設方法であって、
矢板継手部の鈎状の継手部の嵌入溝の長手方向に延在するように止水材を挿入または充填する第一の充填行程と、
前記継手部に地盤構成物が侵入する事を阻止しつつ前記鋼矢板を地盤中に打設する先行打設行程と、
後続鋼矢板の後方継手の鈎状部先端を爪状に加工し、又は爪状の物を取付け、前方継手、鈎状部嵌入溝の長手方向に延在するように止水材を挿入または充填する第二の行程と、
先行して地盤中に打設済み鋼矢板の前方継手の嵌入溝長手方向に延在するように挿入または充填された止水材に、後続鋼矢板の継手部先端を爪状に加工又は爪状の物を取付けた爪部で矢板打設方向への移動に従って、嵌合しつつ、爪部の断面形状によって徐々に切取り剥離させ又は砕かれることを特徴とする鋼矢板の打設方法。
【請求項５】
複数枚の鋼矢板を有し、隣接する鋼矢板の継手部同士が連設されて構築された鋼矢板遮水壁であって、前記鋼矢板が請求項1から３の何れか１項に記載の止水構造であることを特徴とする鋼矢板遮水壁。
【発明の詳細な説明】
【技術分野】
【０００１】
この発明は、鋼矢板継手部の止水構造及び止水方法に関するものである。
【背景技術】
【０００２】
従来、一対の継手を有する鋼矢板を連設して土留壁などを構築する際、隣接する鋼矢板同士を嵌め合わせる。その継手同士を嵌め合わせる嵌入溝には、継手の嵌め合わせをスムーズに行うために隙間が設けられているが、この隙間を埋める処理を施なければ十分な止水性能は得られない。
これまでの一般的な止水処理としては、鋼矢板打設前に吸水性樹脂を含んだ塗料を継手に塗布しておき、打設後に周囲の水分を吸収した樹脂が膨張して、継手部の隙間が樹脂で満たされることによって止水性を高める方法がある。
【０００３】
また、鋼矢板継手、鈎状部の先端開口から嵌入溝に土砂や小石等の地盤構成物が侵入することを阻止するために、閉塞部材を鋼矢板に取付ける方法で、止水性能を向上させる技術が開示されている。（例えば、特許文献１参照）
【先行技術文献】
【特許文献】
【０００４】
【特許文献１】特開２０１０−０８４３８６号広報
【発明の概要】
【発明が解決しようとする課題】
【０００５】
しかしながら上記従来技術の場合次のような欠点があった。
予め継手に吸水性樹脂を含んだ塗料を塗布することでは、鋼矢板の打設時に樹脂塗料の塗膜損傷等、不可避的要素により、継手部の隙間を樹脂で十分に満たすことができないことがある。
【０００６】
また、上記特許文献１の場合、継手部の嵌入溝に土砂や小石等の地盤構成物が侵入することを防止するために、継手の鈎状部、先端開口を閉塞する部材が取り付けられているが、壁体構築コストの増加及び構築作業が煩雑となる。
【０００７】
本発明の目的は、比較的安価で矢板間の止水を確実に行うことができる、矢板継手部の止水材と止水方法を提供することである。
【課題を解決するための手段】
【０００８】
以上の課題を解決するために請求項１に記載の発明は、
一の鋼矢板の継手と他の鋼矢板の継手を嵌め合わせた矢板継手部の止水構造であって、前記鋼矢板は矢板本体の両側に一対の継手を有し、前記継手同士を連結して構築する遮水壁の場合は構築されている壁の進行方向に対して前方を前方継手、後方を後方継手とし、前記継手はそれぞれ前記矢板本体に向けて屈曲した鈎状の継手部を有しており、
前記鈎状の継手部の嵌入溝に地盤構成物等の侵入を防止しするために、前記嵌入溝の長手方向に延在するように止水材で満たし閉塞状態としたことを特徴とする。
【０００９】
請求項２に記載の発明は、前記嵌入溝の長手方向に延在するように挿入または充填された止水材が、後続鋼矢板の後方継手の継手部先端を爪状に加工又は爪状の物を取付けた爪部で矢板打設方向への移動に従って、嵌合しつつ、爪部の断面形状によって徐々に切取り剥離させ又は砕かれることを特徴とする。
【００１０】
請求項３に記載の発明は、請求項２の後続鋼矢板に前方継手、鈎状の継手部の嵌入溝の長手方向に延在するように止水材を充填する事を特徴とする。
【００１１】
請求項４に記載の発明は、一の鋼矢板の継手と他の鋼矢板の継手を嵌め合わせた鋼矢板の打設方法であって、矢板継手部の鈎状の継手部の嵌入溝の長手方向に延在するように止水材を挿入または充填する第一の充填行程と、前記継手部に地盤構成物が侵入する事を阻止しつつ前記鋼矢板を地盤中に打設する先行打設行程と、後続鋼矢板の後方継手の鈎状部先端を爪状に加工し、又は爪状の物を取付け、前方継手、鈎状部嵌入溝の長手方向に延在するように止水材を挿入または充填する第二の行程と、
先行して地盤中に打設済み鋼矢板の前方継手の嵌入溝長手方向に延在するように挿入または充填された止水材に、後続鋼矢板の継手部先端を爪状に加工又は爪状の物を取付けた爪部で矢板打設方向への移動に従って、嵌合しつつ、爪部の断面形状によって徐々に切取り剥離させ又は砕かれることを特徴とする。
【００１２】
請求項５に記載の発明は、複数枚の鋼矢板を有し、隣接する鋼矢板の継手部同士が連設されて構築された鋼矢板遮水壁であって、前記鋼矢板が請求項1から３の何れか１項に記載の止水構造であることを特徴とする。 
【発明の効果】
【００１３】
本発明によれば、矢板間の止水を安価に確実に行う事ができる矢板継手部が得られる。
【図面の簡単な説明】
【００１４】
【図１】鋼矢板の端面を示す上面図である。
【図２】鋼矢板を連結した矢板継手部を示す斜視図である。
【図３】第１の継手部先端に剥離防止用金物を取付け、止水材を充填した断面図である。
【図４】第１の継手部先端に取り付ける剥離防止用金物の斜視図である。
【図５】矢板継手部が嵌合され、隙間が止水材で満たされた状態を示す断面図である。
【図６】第２の継手先端の鈎状部を加工又は先端に取り付けられた、爪の断面図である。
【図７】鋼矢板を連設した矢板継手部であり、先端の剥離防止用金物と、第２の継手、鈎状部先端の爪で止水材を切り取り剥離させ又は砕きながら、継手部を嵌合する事を示す斜視図である。
【図８】第１の継手嵌入溝に止水材が充填された断面図である。
【図９】後続矢板が打設され、嵌合が完成した断面図である。
【図１０】第２の継手嵌入溝に止水材が充填された断面図である。
【図１１】後続矢板が打設され、嵌合が完成した断面図である。
【図１２】第２の継手先端に取り付けられる止水材剥離防止用金物の斜視図である。
【図１３】第１の継手先端鈎状部を加工又は先端に取り付けられた、爪の断面図である。
【図１４】本発明を利用できる継手嵌入溝に止水材が充填された断面図である。
【図１５】本発明を利用できる後続矢板が打設され、嵌合が完成した断面図である。
【図１６】本発明を利用できる継手先端に取り付けられる止水材剥離防止用金物の斜視図である。
【図１７】本発明を利用できる後続打設される継手先端鈎状部を加工又は先端に取り付けられた、爪の断面図である
【発明を実施するための形態】
【００１５】
以下、本発明を実施するための形態について図面を参照して、本発明に係る矢板継手部の止水構造及び止水方法について説明する。
【００１６】
図１に示すように鋼矢板１０は、一対の継手を有するハット型鋼矢板である、矢板本体３の両側に第１の継手１と第２の継手２が設けられている。
第１の継手１は、先端側を矢板本体３に向けて屈曲した鈎状部Ａを有しており、第２の継手２は矢板本体３に向けて屈曲した鈎状部Ｂを有している。また、矢板本体３の第１の継手の近くには、突起物Ｃが設けられている。
そして、第１の継手１の鈎状部Ａと突起物Ｃの間の嵌入溝Ｓに、第２の継手の２の鈎状部Ｂを差し入れるように嵌め合わせることや、第２の継手２の鈎状部Ｂと矢板本体３の間の嵌入溝に、第１の継手１の鈎状部Ａを差し入れるように嵌め合わせることで、鋼矢板１０同士が連結されるようになっている
【００１７】
図２の、鋼矢板を連結した矢板継手部の斜視図に示すように、隣接する鋼矢同士が連結される部分であって、第１の継手１と第２の継手２が嵌め合わされた部分が矢板継手部
２０となる（図９，１１参照）
【００１８】
図３は、第１の継手１の鈎状部Ａと突起物Ｃの間の嵌入溝Ｓに、地盤構成材等の異物の侵入を防止するために、嵌入溝Ｓを満たすように止水材を充填したものである。
【００１９】
図４は、前記の嵌入溝Ｓに充填する止水材の打設時における剥離防止のため、鋼矢板先端の継手部に溶接により取り付ける金物の斜視図である。
【００２０】
図５は、第１の継手１の鈎状部Ａと突起物Ｃの間の嵌入溝Ｓに、地盤構成材等の異物の侵入を防止するため、止水材を充填した部分に、後続鋼矢板の第２の継手２の鈎状部Ｂが嵌合され、結果、継手隙間が止水材で満たされた状態を示す断面図である。
【００２１】
図６は、図３の、先行して打設された鋼矢板、第１の継手１の嵌入溝Ｓに充填された止水材を切取り剥離させ又は砕くために、後続鋼矢板、第２の継手２の鈎状部を加工し、又は鈎状部に取り付けられた、爪Ｅの断面図である。
【００２２】
図７は、先行して打設された鋼矢板、第１の継手１の鈎状部Ａと突起物Ｃの間の嵌入溝Ｓの長手方向に延在するように充填された止水材Ｄを、後続鋼矢板第２の継手２の鈎状部を加工し、又は鈎状部に取り付けられた、爪Ｅで徐々に切取り剥離させ又は砕きながら、矢板打設方向への移動に従って、継手部を嵌合し完成させる行程を示した斜視図である。
また、第２の継手２の鈎状部を加工し、又は鈎状部に取り付けられた、爪Ｅで徐々に切取り剥離させ又は砕かれて残された止水材（水膨張性止水材等）が示されている。
この止水材が残された部分は、形が変わっても継手の嵌め合わせをスムーズに行うために設けられた隙間で、継手嵌合部に必ずできる空間である。
また、この止水材と爪Ｅの間には地盤構成材等の異物は侵入されていない。故に継手間の止水を確実に行う事ができることを示している。
また、第１の継手１の鈎状部先端の止水材剥離防止用に取り付ける金物も示した。
【００２３】
図８は、第１の継手１の鈎状部Ａと突起物Ｃの間の嵌入溝Ｓに、地盤構成材等の異物混入を防止するために、嵌入溝Ｓを満たすように止水材を充填したものを示した。
【００２４】
図９は、第１の継手１の鈎状部Ａと突起物Ｃの間の嵌入溝Ｓに地盤構成材等の異物侵入を防止するため、止水材を充填した部分に後続鋼矢板の第２の継手２の鈎状部Ｂが嵌合された結果、継手隙間が止水材で満たされ、嵌合が完成された状態を示す断面図である。
【００２５】
図１０は、第２の継手２の鈎状部Ｂと矢板本体３の間の嵌入溝Ｘに、地盤構成材等の異物侵入を防止するために、嵌入溝Ｘを満たすように止水材を充填したものを示した。
【００２６】
図１１は、第２の継手２の鈎状部Ｂと矢板本体３の間の嵌入溝Ｘに、地盤構成材等の異物混入を防止するために、止水材を充填した部分に後続鋼矢板の第１の継手１の鈎状部Ａが嵌合された結果、継手隙間が止水材で満たされ、嵌合が完成された状態を示す断面図である。
【００２７】
図１２は、図１０の、嵌入溝Ｘに充填する、止水材の打設時における剥離防止のため、鋼矢板先端の継手部に溶接により取り付ける金物の斜視図である。
【００２８】
図１３は、図１０の、先行して打設された鋼矢板、第２の継手２の嵌入溝Ｘに充填された止水材を、切取り剥離させ又は砕くために、後続鋼矢板第１の継手１の鈎状部を加工し、又は鈎状部に取り付けられた、爪Ｆの断面図である。
【００２９】
図１４，１５，１６，１７に示すように、本発明を利用できる継手を有する矢板であれば、その矢板の継手を嵌め合わせた矢板継手部の止水を図ることがきる。
また、鋼矢板に限定されるものではなく、本発明の継手部分を使用して、止水壁等の構築を図ることができる。
【００３０】
また、その他、具体的な細部構造等についても適宜に変更可能であることはもちろんである。
【符号の説明】
【００３１】
１    第１の継手
２    第2の継手
３    矢板本体
４    第１の継手先端金物（止水材剥離防止用）    
５    第２の継手先端金物（止水材剥離防止用）
６    本発明を利用できる継手先端金物（止水材剥離防止用）    
１０  鋼矢板
２０  矢板継手部
Ａ    第１の継手鈎状部
Ｂ    第２の継手鈎状部
Ｃ    第１の継手近くの突起物
Ｄ    止水材
Ｅ    爪（第２の継手部先端）
Ｆ    爪（第１の継手部先端）
Ｇ    爪（本発明を利用できる継手部先端）  
Ｈ    鈎状部嵌め合わせ入口開口幅  
Ｓ    第１の継手部内部空間
Ｘ    第２の継手部内部空間
【図１】
2019056233.tif 000003
【図２】
2019056233.tif 000004
【図３】
2019056233.tif 000005
【図４】
2019056233.tif 000006
【図５】
2019056233.tif 000007
【図６】
2019056233.tif 000008
【図７】
2019056233.tif 000009
【図８】
2019056233.tif 000010
【図９】
2019056233.tif 000011
【図１０】
2019056233.tif 000012
【図１１】
2019056233.tif 000013
【図１２】
2019056233.tif 000014
【図１３】
2019056233.tif 000015
【図１４】
2019056233.tif 000016
【図１５】
2019056233.tif 000017
【図１６】
2019056233.tif 000018
【図１７】
2019056233.tif 000019
【手続補正書】
【提出日】平成31年1月23日(2019.1.23)
【手続補正１】
【補正対象書類名】特許請求の範囲
【補正対象項目名】全文
【補正方法】変更
【補正の内容】
【特許請求の範囲】
【請求項１】
一のハット型又はＵ形鋼矢板の継手と他のハット型又はＵ形鋼矢板の継手を嵌め合わせた矢板継手部の止水構造であって、前記鋼矢板は矢板本体の両側に一対の継手を有し、前記継手同士を連結して構築する遮水壁の場合は構築されている壁の進行方向に対して前方を前方継手、後方を後方継手とし、前記継手はそれぞれ前記矢板本体に向けて屈曲した鈎状の継手部を有し、
前記鈎状の継手部の嵌入溝に地盤構成物等の侵入を防止するために、前記嵌入溝の長手方向に延在するように止水材で満たし閉塞状態とし、前記止水材を後続鋼矢板の後方継手の継手部先端に、爪状の物を取付けた爪部で矢板打設方向への移動に従って、嵌合しつつ、爪部の断面形状によって徐々に切取り剥離させ又は砕かれることを特徴とする矢板継手部の止水構造。
【請求項２】
請求項１の後続鋼矢板に前方継手、鈎状の継手部の嵌入溝の長手方向に延在するように止水材を充填する事を特徴とする請求項１に記載の矢板継手部の止水構造。
【請求項３】
一の鋼矢板の継手と他の鋼矢板の継手を嵌め合わせた鋼矢板の打設方法であって、
矢板継手部の鈎状の継手部の嵌入溝の長手方向に延在するように止水材を挿入又は充填する第一の充填行程と、
前記継手部に地盤構成物が侵入する事を阻止しつつ前記鋼矢板を地盤中に打設する先行打設行程と、
後続鋼矢板の後方継手の鈎状部先端に対し爪状に加工を施し、又は爪状の物を取付け、前方継手、鈎状部嵌入溝の長手方向に延在するように止水材を挿入又は充填する第二の行程と、
先行して地盤中に打設済み鋼矢板の前方継手の嵌入溝長手方向に延在するように挿入または充填された止水材に、後続鋼矢板の継手部先端に対し爪状に加工を施し又は爪状の物を取付けた爪部で矢板打設方向への移動に従って、嵌合しつつ、爪部の断面形状によって徐々に切取り剥離させ又は砕かれることを特徴とする鋼矢板の打設方法。
【請求項４】
複数枚の鋼矢板を有し、隣接する鋼矢板の継手部同士が連設されて構築された鋼矢板遮水壁であって、前記鋼矢板が請求項１又は２の何れか１項記載の止水構造であることを特徴とする鋼矢板遮水壁。